(57)【要約】【課題】時計用の日車板（２；３）の位置を維持するためのデバイスを提供すること。【解決手段】日車板（２；３）の位置は、ジャンパばね（５０；５０’）によって割り出され、前記デバイスは、ロック部材（５２；５２’）を含み、ロック部材（５２；５２’）は、日付表示修正フェーズ外では、ジャンパばね（５０；５０’）を固定した状態に保ち、日付表示修正フェーズ中では、前記ロック部材（５２；５２’）は移動して離れて、ジャンパばね（５０；５０’）が開放されることを特徴とする。【選択図】図６
2010101896.tif 000002
【特許請求の範囲】
【請求項１】
時計用の日車板（２；３）の位置を、ジャンパばね（５０；５０’）によって割り出すようにしたデバイスにおいて、
ロック部材（５２；５２’）を設け、前記ロック部材（５２；５２’）は、日付表示修正期間外では、前記ジャンパばね（５０；５０’）を固定した状態に保ち、日付表示修正フェーズ中では、前記ロック部材（５２；５２’）が移動して離れて、前記ジャンパばね（５０；５０’）が開放される構成としたことを特徴とする、時計用の日車板（２；３）の位置を維持するためのデバイス。
【請求項２】
前記日付表示修正フェーズ中では、前記ロック部材（５２；５２’）は、駆動部材（５４）によって前記ジャンパばね（５０；５０’）を固定する位置から移動されて離され、その駆動部材は、３１日で１回転を達成する制御車（４）を前記日車板（２；３）に動的に接続するギヤ列（１１、１３、９；１２、１４、９）によって、それ自体が駆動されることを特徴とする、請求項１に記載のデバイス。
【請求項３】
前記日付表示修正フェーズ外では、前記ロック部材（５２；５２’）は、前記ジャンパばね（５０；５０’）と前記駆動部材（５４）の間に固定されることを特徴とする、請求項１または２のいずれかに記載のデバイス。
【請求項４】
前記駆動部材（５４）は、前記制御車（４）を前記日車板（２；３）に動的に接続する前記ギヤ列の歯を形成された車（１３２；１２２）であることを特徴とする、請求項２または３のいずれかに記載のデバイス。
【請求項５】
前記ロック部材（５２）は、２個の直径方向の両側にあるアーム（５３ａ、５３ｂ）を含むレバーであり、アーム（５３ａ、５３ｂ）を介して前記レバーは、前記ジャンパばね（５０）と前記歯を形成された車（１３２）にそれぞれ当接することを特徴とする、請求項４に記載のデバイス。
【請求項６】
前記ロック・レバー（５２；５２’）は、ばね（５１；５１’）のアーム（５１ｂ、５１ｂ’）によって、前記歯を形成された車（１３２；１２２）に対して保持され、したがって前記レバー（５２；５２’）と前記歯を形成された車（１３２；１２２）の間に遊びがないことを特徴とする、請求項５に記載のデバイス。
【請求項７】
前記ジャンパばね（５０；５０’）は、前記日付リング（２；３）を割り出す位置に、弾性アーム（５１ａ；５１ａ’）によって保持され、弾性アーム（５１ａ；５１ａ’）は、前記ロック・レバー（５２；５２’）を保持する前記ばね（５１；５１’）の前記アーム（５１ｂ、５１ｂ’）と一体であることを特徴とする、請求項６に記載のデバイス。
【請求項８】
前記２個のロック・レバー（５２；５２’）および前記２個のジャンパばね（５０；５０’）を保持する前記ばね（５１；５１’）は、単一部品として製作されることを特徴とする、請求項６または７のいずれかに記載のデバイス。
【請求項９】
前記時計の通常動作モードでは、前記ロック・レバー（５２）の前記アーム（５３ｂ）の端部が、前記ジャンパばね（５０）に対して、前記ジャンパばね（５０）の中に製作された窪み（５６）中で当接していることを特徴とする、請求項５乃至８のいずれかに記載のデバイス。
【請求項１０】
前記日付表示修正フェーズ中では、前記ロック・レバー（５２）は、前記ばね（５１）の復帰力に逆らって、前記歯を形成された車（１３２）によって回転駆動され、前記ジャンパばね（５０）を固定する位置から移動して離れ、前記ロック・レバー（５２）のアーム（５３ａ）を介して、前記窪み（５６）の延長線上にある前記ジャンパばね（５０）の直線の辺（５８）に沿って滑り、したがって、前記日付リング（２）によって枢動するようにさせられて、前記ロック・レバー（５２）のための制御部材になるのは、前記ジャンパばね（５０）であることを特徴とする、請求項９に記載のデバイス。
【発明の詳細な説明】
【技術分野】
【０００１】
本発明は、時計用の日車板の位置を保持するのに役立つデバイスに関する。
【背景技術】
【０００２】
本特許出願に添付した図１に、日車メカニズムの１つの例示の実施形態を遠近法で示す。全般的な参照番号１によって全体として示すように、このタイプのメカニズムは、月の日を表示するために、ウオッチ（表示せず）、通常は腕時計の底板に装着されるためのものである。日付メカニズム１は、上部日付リング２および下部日付リング３を含む。上部日付リング２は、下部日付リング３上に重ねて置かれている。上部日付リング２は、その外周の上に一定間隔で分布する１６個のセクターを有する。１６個のセクターは、リング２の上面上に「１７」から「３１」に移って行く一連のマークと、ウィンドウ２１を含み、そのウィンドウ２１は、この示した例では、上部日付リング２中に配置された貫通開口部である。また、下部日付リング３は、その外周の上に一定間隔で分布する１６個のセクターを有する。１６個のセクターは、リング３の上面上に「１」から「１６」の一連のマークを有する。ウオッチは、通常、開口部を有し、それを通して上部日付リング２および下部日付リング３上のマークを見ることができる。
【０００３】
図２および図３に、上部日付リング２および下部日付リング３を構成する細部をさらに具体的に示す。歯２２が、上部日付リング２の内部に向けて前記上部リング２の周辺内側縁部２３から半径方向に突出している。同様に、歯３２が、下部日付リング３の内部に向けてその内側縁部３３から半径方向に突出している。歯２２および３２は、それぞれの日付リング２および３の周辺内側縁部２３および３３に沿って一定間隔で隔置される。各歯２２は、マーク２４、または上部日付リング２のウィンドウ２１と関連付けられる。同様に、各歯３２は、下部日付リング３のマーク３４と関連付けられる。
【０００４】
また、日車メカニズム１は、制御車４を含み、制御車４は、上部日付リング２および下部日付リング３を駆動するためのものであり、ピニオン６１によって駆動されて３１日で１回転を達成する。ピニオン６１は、筒車およびギヤ６２および６３上で駆動されるが、筒車およびギヤ６２および６３については、ここではこれ以上説明しない。
【０００５】
本特許出願に添付した図４は、制御車４の詳細な斜視図である。この図から明確になるように、制御車４は、第１および第２の重ね合わされた（円板状で外周に必要な歯を形成した）歯形成用ステージ４１および４２を含む。ステージ４１および４２のそれぞれの周辺上に、連続し隣接した歯を備えた部分と、歯がない部分が存在する。第１および第２の歯形成用ステージ４１および４２のそれぞれの歯を形成された部分中には、歯が、２π／３１の角度で、一定間隔で隔置される。
【０００６】
図４でわかるように、参照番号は、歯形成用ステージ４１および４２の歯のそれぞれに付けられており、上部日付リング２および下部日付リング３のどのセクターがその歯によって制御されるかを示す。したがって、第１の歯形成用ステージ４１は、上部日付リング２のセクター「１７」から「３１」およびウィンドウ２１を制御することになる歯を含む。したがって、第１の歯形成用ステージ４１の歯がない部分は、ウィンドウ２１に対応するセクターを制御する歯と、セクター「１７」を制御する歯の間に延在する。第２の歯形成用ステージ４２は、セクター「１」から「１６」を制御する歯を含む。したがって、第２の歯形成用ステージ４２の歯がない部分は、セクター「１６」を制御する歯と、セクター「１」を制御する歯の間に延在する。一方のステージの歯を形成された部分は、他方のステージの歯がないセクターに対して垂直に置かれる。したがって、上部リング２のマーク「１７」から「３１」を制御する第１の歯形成用ステージ４１の歯は、第２の歯形成用ステージ４２の歯がない部分に対して垂直に配置される。第１の歯形成用ステージ４１の歯がない部分は、下部リング３のマーク「２」から「１６」を制御する、第２の歯形成用ステージ４２の歯に対して垂直に置かれる。例外として、下部日付リング３のセクター「１」を制御する、第１の歯形成用ステージ４１の歯は、上部日付リング２のウィンドウ２１に対応するセクターを制御する、第２の歯形成用ステージ４２の歯に対して垂直に配置される。
【０００７】
第１および第２の歯形成用ステージ４１および４２は、結合されて回転する、したがって制御車４の１回転の単一の回転によって、上部日付リング２および下部日付リング３の２個の一方または他方が駆動される。第１および第２の歯形成用ステージ４１および４２は、それらの歯を形成された部分を介して上部日付リング２および下部日付リング３をそれぞれ駆動するために配置される。マルチプライヤ車セット１１および１３が、第１および第２の歯形成用ステージ４１および４２と、上部日付リング２および下部日付リング３との間の運動のリンクをそれぞれ形成する。マルチプライヤ車セット１１および１３によって、制御車４の毎日の回転が、一方の日付リングの月のある日から次の日への１ステップの前進となることが保証される。
【０００８】
本特許出願に添付した図５は、日付表示修正メカニズムの側面図である。この図に示すように、第１の歯形成用ステージ４１は、第１のマルチプライヤ・ギヤ１１、第３のマルチプライヤ・ギヤ１３および修正ギヤ列９の上部ギヤを介して、上部日付リング２に動的に接続される。マルチプライヤ・ギヤ１１は、第１の歯形成用ステージ４１の歯を形成された部分によって駆動されるピニオン１１２を含む。マルチプライヤ・ギヤ１１は、ピニオン１１２に固定された車１１１をさらに含む。マルチプライヤ・ギヤ１３は、車１１１によって駆動されるピニオン１３１を含む。マルチプライヤ・ギヤ１３は、ピニオン１３１に固定され、修正ギヤ列９の上部ギヤを駆動する車１３２をさらに含む。
【０００９】
制御車４の回転の間、日車メカニズム１は、次のように動作する。ウィンドウ２１およびマーク「１」が、最初に、ウオッチ開口部の下に置かれていると仮定する。したがって、ウオッチを着用している人は、月の最初の日を見ることができる。月の最初の日から２日へ、次いで２日から３日へ、そしてそのようにして次々と「１６」日まで、制御車４によって制御されて変化するときは、
−第１の歯形成用ステージ４１の歯がない部分は、第１の車セット１１の反対側にある。したがって、上部日付リング２は、駆動されないままであり、ウィンドウ２１は、静止したままで、ウオッチの開口部の下に置かれている。
−マーク「２」から「１６」の移動を制御する、第２の歯形成用ステージ４２の歯は、第２のマルチプライヤ・ギヤ１２と連続してかみ合い、したがって、その歯３２を介して下部日付リング３を駆動することになる。そのようにして、日付「２」から「１６」が、ウィンドウ２１を通してウオッチ開口部中に次々に見えることになる。
【００１０】
下部日付リング３上にマークされた月の「１６」日から上部日付リング２上にマークされた月の「１７」日に、次いでその後「１７」日から「３１」日まで、車４によって制御されて変化するときは、
−第２の歯形成用ステージ４２の歯がない部分は、第２のマルチプライヤ・ギヤ１２の反対側にある。したがって、下部日付リング３は、駆動されないままであり、日付「１６」は、開口部の下で静止したままである。
−マーク「１７」から「３１」の移動を制御する、第１の歯形成用ステージ４１の歯は、車セット１１と連続してかみ合い、したがってその歯２２を介して上部日付リング２を駆動することになる。そのようにして、日付「１７」から「３１」が、開口部中に連続して表示されることになる。
【００１１】
上部リング２によって運ばれる日付「３１」から下部リング３によって運ばれる日付「１」へ変化するとき、ウィンドウ２１の移動を制御する、第１の歯形成用ステージ４１の歯と、マーク「１」の移動を制御する、第２の歯形成用ステージ４２の歯は、車セット１１および１２とそれぞれ同時にかみ合い、第１の歯形成用ステージ４１の歯は、第２の歯形成用ステージ４２の歯の上に重ね合わされる。したがって、上部日付リング２は、枢動し、それによって開口部の下にウィンドウ２１が置かれ、一方下部日付リング３は、枢動し、それによって開口部の下にマーク「１」が置かれる。
【００１２】
図１を詳しく見ると、上部日付リング２および下部日付リング３の位置が、各ジャンパばね５０によって割り出され、それぞれのばね５１で割り出された位置に保持されることが明らかになる。ジャンパばね５０は、日付リング２および３を所定の位置に保ち、それらが、たとえば衝撃の作用によって、日付表示修正期間外で突然回転しないように防止するために使用される。ジャンプ期間ができるだけ短い日付メカニズムを得たいとき、制御車から日付リングまでのギア比はできるだけ高くしなければならない。したがって、制御車を日付リングに接続するギヤ列の出力として得られるトルクが低く、そのため、ジャンパばねが前記日付リングに対して発揮する力は、日付リングが１ステップだけ前進させられるとき、それに打ち勝つことができるように、できるだけ小さくしなければならない。しかし、ジャンパばねが日付リングに対して発揮する保持力が小さい場合、衝撃発生および日付表示が不正確である際、日付リングがジャンプする危険性が大きい。
【発明の概要】
【発明が解決しようとする課題】
【００１３】
本発明の目的は、日車修正期間外では衝撃抵抗レベルが高く、一方日付表示修正フェーズの間では低い抵抗トルクだけを示す日車メカニズムを設けることによって、この欠点を他に加えて克服することである。
【課題を解決するための手段】
【００１４】
したがって、本発明は、時計用の日車板の位置を保持するのに役立つデバイスに関し、日車板の位置は、ジャンパばねによって割り出され、前記デバイスは、ロック部材を含み、このロック部材は、日付表示修正期間外では、ジャンパばねを固定した状態に保ち、日付表示修正フェーズ中では、前記ロック部材は、脇に移動して、ジャンパばねが開放されることを特徴とする。
【００１５】
これらの特徴によって、本発明は、日付ディスクが、日付表示修正フェーズ外では固定された状態に保たれ、日付表示修正フェーズの間では解放され、ジャンパばねによってちょうど割り出された状態に保たれる、日車メカニズムを提供する。それゆえ、ウオッチの通常動作の間、日車板は、しっかりと保持され、たとえば衝撃の作用によって突然枢動するような傾向がないことが保証される。そのため、本発明による日付メカニズムを装備したウオッチがもたらす日付表示は、常に信頼できる。しかし、真夜中の１２時に近づき、日付表示の変更が必要になったとき、日付板は、ジャンパばねによってだけ保持され、それは、低い抵抗トルクを示す。したがって、制御車を日付リングに接続するギヤ列の出力で得られるトルクは、高くする必要がなく、それゆえ、前記制御車と前記日付リングの間の掛け算率は、大きくすることができる。そのようにして、ジャンプが引きずり式メカニズム（ｄｒａｇ  ｍｅｃｈａｎｉｓｍ）のジャンプよりも速い、瞬間的なジャンプ・メカニズムに近い日付メカニズムが得られる。
【００１６】
本発明の補足的な特徴によれば、日付表示修正フェーズ中では、ロック部材が、そのジャンパばねの固定位置から駆動部材によって離され、駆動部材は、制御車を日車板に動的に接続するギヤ列によって駆動される。
【００１７】
この他の特徴によって、ジャンパばねは、日付表示修正列が動作を始める、その正確な瞬間に、その固定位置から解放されるだけであり、それは、２４時間ごとに１回真夜中の１２時の近くで、わずかな時間の間に、および手動による日付修正フェーズの間に起きるだけである。それゆえ、ほとんどの時間の間、日付ディスクは、完全に動かなくされ、したがって、たとえば衝撃発生の際に突然ジャンプするような傾向がない。
【００１８】
本発明の他の特徴によれば、日付表示修正フェーズ外では、ロック部材は、ジャンパばねと駆動部材の間に固定される。
【００１９】
本発明の他の特徴および効果は、本発明による日付メカニズムの実施形態の以下の詳細な説明中に、より明確に示されるが、この例は、添付図面を参照した単に限定しない説明の目的で提示される。
【図面の簡単な説明】
【００２０】
【図１】既に引用された、日車メカニズムの例示の実施形態の斜視図である。
【図２】既に引用された、上部日付リングの斜視図である。
【図３】既に引用された、下部日付リングの斜視図である。
【図４】既に引用された、制御車の斜視図である。
【図５】既に引用された、制御車の結合された掛け算メカニズムの側面図である。
【図６】図１に示す、本発明によるロック・デバイスを装備した日車メカニズムの斜視図である。
【図７Ａ】本発明によるロック・デバイスの動作原理を示す図である。
【図７Ｂ】本発明によるロック・デバイスの動作原理を示す図である。
【図７Ｃ】本発明によるロック・デバイスの動作原理を示す図である。
【図７Ｄ】本発明によるロック・デバイスの動作原理を示す図である。
【図７Ｅ】本発明によるロック・デバイスの動作原理を示す図である。
【図７Ｆ】本発明によるロック・デバイスの動作原理を示す図である。
【発明を実施するための形態】
【００２１】
本発明は、全体的な独創的な考えから進んだものであり、それは、ひと目で対立して現れる２つの目的を調和させることにある。すなわち、その日車板が、衝撃発生の際、枢動せず、間違った日付表示をもたらさないように、しっかりと保持され、さらに、修正中では可能な限り最低の抵抗トルクを示し、それゆえ、その日車板は、掛け算率が高いギヤ列によって比較的短い時間で１ステップだけ前進することができる、日付メカニズムを提供することにある。この二元的な目的は、日付表示修正期間外では、そのジャンパばねに対して作用することによって日車板を固定する部材の使用によって達成される。この部材は、日付表示が修正されているときのフェーズの間では、日車板を固定する位置から離される。
【００２２】
ここで、本発明を、２枚の重ね合わされた日付ディスクを含む日車メカニズムを参照して説明する。本発明は、３１個のセクターに分割され、その上に「１」から「３１」の日付表示がマークされた１枚の日付ディスクだけを有した日車メカニズムに、同一の方法で適用できることは、言うまでもない。
【００２３】
明確にするために、本発明によるロック機構を、上部日付リング２を参照して説明する。下部日付リング３に関連付けられるロック機構が、上部リング２のロック機構と同一であることは、明らかである。
【００２４】
上記に既に説明したように、上部日付リング２および下部日付リング３は、マルチプライヤ車セット１１および１３と、１２および１４とをそれぞれ含み、そして修正車セット９を含む日付表示修正列を介して、制御車４に動的に接続される。より具体的には、上部日付リング２は、第１のマルチプライヤ車セット１１、第３のマルチプライヤ車セット１３および修正車セット９の上部ギヤを介して、制御車４の第１の歯形成用ステージ４１によって駆動される。マルチプライヤ・ギヤ１１は、第１の歯形成用ステージ４１の歯を形成された部分によって駆動されるピニオン１１２を含む。車１１１が、ピニオン１１２に同軸上で固定され、第３のマルチプライヤ車セット１３のピニオン１３１を駆動する。最後に、車１３２が、ピニオン１３１に同軸上で固定され、修正車セット９の上部ギヤを駆動し、修正車セット９の上部ギヤは、上部日付リング２を駆動する。図６を詳しく見ると分かるように、上部日付リング２の位置は、ジャンパばね５０によって割り出され、それのばね５１の一方のアーム５１ａで割り出された位置に保持される。
【００２５】
ある所与の日から次の日への、できるだけもっとも速い日付表示のジャンプを得ることが求められている。したがって、第１のマルチプライヤ車セット１１、第３のマルチプライヤ車セット１３および修正車セット９の上部ギヤを介した、制御車４と上部日付リング２の間の掛け算率は、できるだけ高くしなければならない。この条件が確認されるという条件で、２ディスク日車メカニズムのための値である２２．５°の２つの日付ステップ間の角度を用いると、日付の変更は、ほぼ４０分で行われる。これは、ディスクが１枚である半瞬間的な日車メカニズムの通常のジャンプ持続期間であり、この期間は、単一ディスク日車メカニズムには、本発明によって２０分まで短縮される。したがって、本発明の日付メカニズムは、引きずり式日付メカニズムと瞬間的な日付メカニズムの間の半瞬間的な日付メカニズムのカテゴリーに分類される。それゆえ、日付表示修正列を適切なサイズにすることによって、日付変更がこれまでより速いが、その結果、修正車セット９の上部ギヤによって修正列の端部で得られるトルクが比較的低い、日付メカニズムを得ることが可能である。したがって、上部日付リング２に対して十分に弱い保持力を発揮し、それゆえ日付表示修正フェーズ中では修正車セット９の上部ギヤが、その力に打ち勝つことができる、ジャンパばね５０を選択することが必要である。そのような場合、ジャンパばね５０が上部日付リング２に対して発揮する保持は、完全無欠でなく、大きな衝撃の発生の際、日付リングがジャンプする危険が大きいことを直ちに理解されよう。
【００２６】
本発明の目的は、日付リングの位置を維持するのに役立つデバイスを設けることによって、この問題を克服することであり、そのデバイスによって、ウオッチの通常の動作フェーズ中では、すなわち日付表示が修正されているときの期間外では、日付リングが優れた衝撃抵抗を有し、一方最小のトルクによって日付表示を修正することが可能であることが保証される。したがって、本発明は、日車メカニズムにロック部材を追加することを教示する。ロック部材は、日付表示修正期間外では、ジャンパばねを固定した状態に維持し、日付表示修正フェーズ中では、離れて、ジャンパばねが開放される。図６に示す例示の実施形態では、このロック部材は、全体的な参照番号５２によって全体として示され、レバーの形を取り、その枢動軸は、その対称の中心軸と同じである。より具体的には、ロック・レバー５２が２個の直径方向に反対側にあるアーム５３ａおよび５３ｂを有し、それらを介して、ロック・レバー５２は、ジャンパばね５０および駆動部材５４の両方に当接し、駆動部材５４は、日付表示修正列によって、それ自体が駆動される。この図面に示す例では、この駆動部材５４は、第３のマルチプライヤ車セット１３の車１３２から形成される。もちろん、この例は、単に説明の目的で提示したものであり、ロック・レバー５２が、直接、または中間要素を介して、日付表示修正車セットの他の車に当接することを予想することができる。
【００２７】
ロック・レバー５２のアーム５３ｂが、ばね５１のアーム５１ｂによって保持されて車１３２の歯に当てられており、そのアーム５１ｂは、そのアーム５１ａと一体であるということが分かる。もちろん、ジャンパばね５０およびロック・レバー５２をそれぞれ保持するために、２個の別個のばねを設けることを予想することができる。ジャンパばね５０が、ロック・レバー５２のアーム５３ａの当接を容易にするために、窪み５６を含むことも分かる。
【００２８】
ここで、本発明による、日付リングの位置を維持するのに役立つデバイスの働きを、図７Ａ〜図７Ｆを参照して調べることにする。ウオッチの通常の動作期間中では、すなわち日付表示が修正されているフェーズ外では、ロック・レバー５２は、第３のマルチプライヤ車セット１３の車１３２と、ジャンパばね５０の間に固定され、ロック・レバー５２は、ジャンパばね５０を上部日付リング２にしっかりと押しつけて保持する。マルチプライヤ車セット１３および上部日付リング２が両方静止しているので、前記上部日付リング２は、衝撃発生の際、移動する危険がない。真夜中の１２時の少し前に、ウオッチは、日付表示修正フェーズに入り、制御車４が回転を始める（図７Ａ）。ロック・レバー５２が、ばね５１のアーム５１ｂによって、第３のマルチプライヤ車セット１３の車１３２に対して保持されているので、レバー５２と車１３２の間に遊びはない。しかし、遊びが、車１３２と修正車セット９の上部ギヤの間に、および修正車セット９の上部ギヤと上部日付リング２の間に存在し、これらの遊びは、互いに加算される。その結果、制御車４、したがって第３のマルチプライヤ車セット１３の車１３２が回転を始め、前記車１３２は、まず第１に、ロック・レバー５２を駆動し、その後、修正車セット９および日付リング２を駆動する。そうしている間、車１３２は、ばね５１のアーム５１ｂの復帰力に逆らってレバー５２をその固定位置から移動させて離し、そのようにしてジャンパばね５０を開放することになる（図７Ｂ）。レバー５２がジャンパばね５０を固定していた位置からレバー５２を移動させて離した直後に、車１３２は、修正車セット９の上部ギヤを介して、日付リング２を回転させ始める。この瞬間から（図７Ｃ参照）、ロック・レバー５２のために制御部材になるのは、ジャンパばね５０である。ロック・レバー５２のアーム５３ａが、ジャンパばね５０中に設けられた窪み５６を出ており、前記ジャンパばね５０の直線の辺５８に接触して滑っており、直線の辺５８は、前記窪み５６の延長線上にあることがこの段階で観察される。そのようにして、日付リング２が修正車セット９の上部ギヤによって駆動されて回転を始めたとき、ジャンパばね５０が枢動し、次いで、それが位置している、日付リング２の上部歯形成部の２個の歯の間のギャップから、次のギャップへと、２つのギャップを分けている歯２２の上を通過する。枢動している間、ジャンパばね５０は、ばね５１のアーム５１ｂの復帰力に逆らって、ロック・レバー５２を時計回りに、すなわち車１３２がそれを枢動させる方向と同じ方向に枢動させ、その復帰力は、レバー５２がジャンパばね５０を固定する位置に、前記レバー５２を戻すような傾向がある。
【００２９】
図７Ｄに、月のある所与の日からの日付変更、この場合は「１６」日から次の日、ここでは「１７」日への日付変更の直前の位置にある、本発明による日付メカニズムを示す。ジャンパばね５０が、そのヒールを介して日付リング２の内側歯形成部の歯２２上に当接しており、その内側歯形成部は、前記ジャンパばね５０が位置付けられていた２個の歯２２の間のギャップと、前記ジャンパばね５０がその中に収まることになる次のギャップを分けていることが、この図から分かる。さらに、ジャンパばね５０は、レバー５２がジャンパばね５０を固定する静止位置から前記ジャンパばね５０を離した状態に保つ。
【００３０】
図７Ｄから図７Ｅに進むと、修正車セット９の上部ギヤが、上部日付リング２を前進させ終え、ジャンパばね５０が、ばね５１のアーム５１ａの弾性復帰力の作用の下で、次の２個の歯の間のギャップ中に収まる。そのジャンプの間、ジャンパばね５０が日付リング２のための駆動要素になり、それは、枢動を終え、前記ジャンパばね５０のヒール６０によって、その前進移動が制限され、その傾斜面が、次の２個の歯２２と接触する。同時に、ロック・レバー５２が、ジャンパばね５０の辺５８に沿って上昇する。日付のジャンプ後の本発明による日付メカニズムを示す図７Ｆでは、ロック・レバー５２のアーム５３ｂの端部が、ジャンパばね５０の窪み５６の内部に戻り、それによって前記ばねを再び固定する。
【００３１】
前述の観点から、上部日付リング２は、常に固定され、したがって、上部日付リング２は、衝撃抵抗レベルが高く、突然ジャンプしにくくなっていることに気づくことができる。より具体的には、上部日付ディスク２は、ウオッチの通常の動作フェーズの間では、ロック・レバー５２によって固定位置に保持され、日付ディスク２は、日付表示修正フェーズの間では、修正車セット９の上部ギヤによって保持される。
【００３２】
上記の説明では、上部日付リング２を対象としていた。本発明は、下部日付リング３に、同一の方法で適用できる。したがって、ロック・レバー５２の下に配置され、ロック・レバー５２と同じ軸のまわりに枢動可能に取り付けられる、ロック・レバー５２’が提供される。このロック・レバー５２’は、第４のマルチプライヤ・ギヤ１４の車１２２と協働し、ジャンパばね５０の下に取り付けられ、ジャンパばね５０と同じ軸のまわりで枢動するジャンパばね５０’と協働する。ロック・レバー５２’は、ばね５１ｂによって車１２２に対して保持され、ジャンパばね５０’は、下部日付リング３を割り出す位置にばね５１ａ’によって保持される。２個のばね５１ｂ’および５１ａ’は、別個でもよく、または互いと一体であってもよい。図６に示すように、４個のばね５１ａ、５１ａ’、５１ｂおよび５１ｂ’を、平行する弾性ストリップの対の形で単一の部品として製作することも予想することができる。
【符号の説明】
【００３３】
１  日付メカニズム；  ２  上部日付リング；  ３  下部日付リング；  ４  制御車；  
９  修正ギヤ列；  １１、１２、１３、１４  マルチプライヤ・ギヤ・セット；  
２１  ウィンドウ；  ２２、３２  歯；  ２３、３３  周辺内側縁部；  
２４、３４  マーク；  ４１、４２  歯形成用ステージ；  
５０、５０’  ジャンパばね；  ５１、５１’  ばね；  
５１ａ、５１ａ’、  ５１ｂ、５１ｂ’  ばねのアーム；  
５２、５２’  ロック・レバー；  ５３ａ、５３ｂ  アーム；  ５４  駆動部材；  
５６  窪み；  ５８  辺；  ６０  ヒール；  ６１  ピニオン；  ６２、６３  ギヤ。
【図１】
2010101896.tif 000003
【図２】
2010101896.tif 000004
【図３】
2010101896.tif 000005
【図４】
2010101896.tif 000006
【図５】
2010101896.tif 000007
【図６】
2010101896.tif 000008
【図７Ａ】
2010101896.tif 000009
【図７Ｂ】
2010101896.tif 000010
【図７Ｃ】
2010101896.tif 000011
【図７Ｄ】
2010101896.tif 000012
【図７Ｅ】
2010101896.tif 000013
【図７Ｆ】
2010101896.tif 000014